(57)【特許請求の範囲】
【請求項１】
測定対象物に接触してｐＨ、酸化還元電位、イオン濃度、導電率のうちの少なくともいずれか１つを測定するプローブから得た測定結果を、ディスプレイに表示する表示制御部を具備する測定装置であり、
前記表示制御部が、前記測定結果を数値として表示する数値表示画面と、所要箇所に値を付した一連の目盛り及び前記測定結果に対応する目盛り上の位置を指し示す指示手段を表示するアナログ表示画面と、一方の軸が時間を示し他方の軸が測定結果を示す座標系に前記測定結果を時系列グラフとして表示するグラフ表示画面とのうち、少なくとも２つの表示画面を切替可能に表示するものであって、
前記ディスプレイがタッチパネル式ディスプレイであり、
前記表示制御部が、前記ディスプレイに対するタッチスライド操作に連動して、このタッチスライド操作がされる前に表示されていた表示画面をディスプレイの表示領域外に移動させるとともに、それに合わせて別の表示画面を前記表示領域内に移動させることにより、前記各表示画面を連続的に切り替えるようにしてあり、
前記表示制御部が、前記各表示画面の切替途中において、前記表示領域内に前記数値表示画面の前記測定結果の数値と、前記アナログ表示画面の前記目盛り、又は、前記グラフ表示画面の前記時系列グラフのうちいずれか一方との２つを同時に表示するように構成され、
前記表示領域内に表示されている前記測定結果が、最新の前記測定結果を表示するものであることを特徴とする測定装置。
【請求項２】
前記タッチスライド操作のスライド距離が所定値以上である場合に、前記表示制御部が前記別の表示画面を表示し、
前記タッチスライド操作のスライド距離が所定値未満である場合に、前記表示制御部が、前記タッチスライド操作がされる前に表示されていた表示画面を表示する請求項１記載の測定装置。
【請求項３】
前記ディスプレイがタッチ操作された場合に、前記表示制御部が前記表示画面の移動可能な方向を示すガイドを表示するものである請求項１又は２記載の測定装置。
【発明の詳細な説明】
【技術分野】
【０００１】
本発明は、水や食品のような流体のｐＨ、酸化還元電位、イオン濃度、導電率等を測定する測定装置に関するものである。
【背景技術】
【０００２】
近年、単にｐＨ等を測定するだけでなく、ユーザからのニーズに応えて多様な機能が付加された測定装置が開発されつつある。例えば、測定結果をディスプレイに表示する機能に着目すると、目盛り及び指針でアナログメータのように表示したり、時系列グラフで表示したりするものがある（特許文献１）。これらの表示は、ユーザがディスプレイよりも下方に設けられた操作ボタンを押すなどして切り替えることができる。
【０００３】
ところで、このような多機能な測定装置では、様々な機能が付加されるにつれ、操作ボタンの数が多くなる傾向がある。すると、ユーザは押したい操作ボタンがどこにあるのか把握しきれなくなり、操作が分かりにくいものになってしまうという問題が生じる。
【０００４】
さらに、特に操作に不慣れな初心者は、表示を切り替えようとするときに、これからする操作が正しいかどうか確信が持てず不安感を抱くことがある。切替操作が正しいかどうかは、切替操作が完了した後にディスプレイを確認するまでは判別できないので、ユーザは不安感が解消されないまま切替操作せざるを得ない。
【先行技術文献】
【特許文献】
【０００５】
【特許文献１】特開２００４−３２５０７７号公報
【発明の概要】
【発明が解決しようとする課題】
【０００６】
そこで、本発明は、上記の問題を解決すべく図ったものであり、表示画面を切り替えることができる測定装置において、ユーザが直感的で分かりやすい操作で表示を切り替えることができ、初心者であっても安心して切替操作できる測定装置を提供することをその主たる所期課題とするものである。
【課題を解決するための手段】
【０００７】
すなわち、本発明に係る測定装置は、測定対象物に接触してｐＨ、酸化還元電位、イオン濃度、導電率のうちの少なくともいずれか１つを測定するプローブから得た測定結果を、ディスプレイに表示する表示制御部を具備する測定装置であり、前記表示制御部が、前記測定結果を数値として表示する数値表示画面と、所要箇所に値を付した一連の目盛り及び前記測定結果に対応する目盛り上の位置を指し示す指示手段を表示するアナログ表示画面と、一方の軸が時間を示し他方の軸が測定結果を示す座標系に前記測定結果を時系列グラフとして表示するグラフ表示画面とのうち、少なくとも２つの表示画面を切替可能に表示するものであって、前記ディスプレイがタッチパネル式ディスプレイであり、前記表示制御部が、前記ディスプレイに対するタッチスライド操作に連動して、このタッチスライド操作がされる前に表示されていた表示画面をディスプレイの表示領域外に移動させるとともに、それに合わせて別の表示画面を前記表示領域内に移動させることにより、前記各表示画面を連続的に切り替えるようにしたことを特徴とするものである。
【０００８】
このようなものであれば、タッチパネル式ディスプレイに対するタッチスライド操作に連動して表示制御部が表示画面を切り替えるので、ユーザはタッチスライド操作するだけで、表示画面を切り替えることができる。従って、ユーザは様々な操作ボタンから適当なものを選び出すといった煩雑な操作をする必要がなく、直感的で分かりやすい切替操作で表示画面を切り替えることができる。また、表示制御部が、前記ディスプレイに対するタッチスライド操作に連動して、このタッチスライド操作がされる前に表示されていた表示画面をディスプレイの表示領域外に移動させるとともに、それに合わせて別の表示画面を前記表示領域内に移動させることにより、前記各表示画面を連続的に切り替えるので、切替操作の途中でユーザが切替先の表示画面を確認することができる。従って、切替操作完了前にユーザは操作が正しいかどうかを確認することができ、安心して切替操作できる。
【０００９】
ユーザの使い勝手をより向上させるためには、前記タッチスライド操作のスライド距離が所定値以上である場合に、前記表示制御部が前記別の表示画面を表示し、前記タッチスライド操作のスライド距離が所定値未満である場合に、前記表示制御部が、前記タッチスライド操作がされる前に表示されていた表示画面を表示するものが望ましい。
【００１０】
切替操作をより分かりやすくするためには、前記ディスプレイがタッチ操作された場合に、前記表示制御部が前記表示画面の移動可能な方向を示すガイドを表示するものが望ましい。
【発明の効果】
【００１１】
従って、本発明によれば、ユーザが直感的で分かりやすい操作で表示画面を切り替えることができ、切替操作の途中で切替先の表示画面を確認して安心して切替操作できる。
【図面の簡単な説明】
【００１２】
【図１】本発明の実施形態における測定装置の模式的全体図。
【図２】同実施形態の測定装置の機能ブロック図。
【図３】同実施形態のグラフ表示画面の一例を示す画面構成図。
【図４】同実施形態のアナログ表示画面の一例を示す画面構成図。
【図５】同実施形態の数値表示画面の一例を示す画面構成図。
【図６】同実施形態のグラフ表示画面が数値表示画面に切り替えられる過程を示す画面構成図。
【図７】同実施形態のグラフ表示画面がアナログ表示画面に切り替えられる過程を示す画面構成図。
【図８】同実施形態のアナログ表示画面が数値表示画面に切り替えられる過程を示す画面構成図。
【図９】同実施形態のグラフ表示画面において、時間軸の数値範囲が変更される過程を示す画面構成図。
【図１０】同実施形態のグラフ表示画面において、測定軸の数値範囲が変更される過程を示す画面構成図。
【図１１】同実施形態のアナログ表示画面において、目盛りによって示される数値範囲が移動される過程を示す画面構成図。
【図１２】同実施形態のアナログ表示画面において、目盛りによって示される数値範囲が拡大及び縮小される過程を示す画面構成図。
【図１３】他の実施形態の数値表示画面において、変数表示領域がタッチ操作されている状態を示す画面構成図。
【図１４】他の実施形態のグラフ表示画面において、時間軸の数値範囲が変更される過程を示す画面構成図。
【発明を実施するための形態】
【００１３】
次に、本発明の実施形態に係る測定装置１００について、図面を参照して説明する。
【００１４】
測定装置１００は、水溶液や食品のような測定対象物のｐＨ、酸化還元電位、イオン濃度、導電率、濁度、溶存酸素のような含有成分の濃度等を測定する水質測定装置である。
【００１５】
具体的にこのものは、図１に示すように、測定対象物を測定する測定部たるプローブ１０と、そのプローブ１０にケーブル２０で電気的に接続された本体３０を具備する。なお、プローブ１０及び本体３０は無線通信で接続されるものであってもよい。以下、各部について詳述する。
【００１６】
プローブ１０は、測定対象物を測定するものである。このプローブ１０は本体３０に対して着脱可能に構成されており、測定目的に応じて取り替えることができるものである。プローブ１０としては、ｐＨ測定プローブ、酸化還元電位測定プローブ、イオン濃度測定プローブ、導電率測定プローブ、溶存酸素測定プローブ、濁度測定プローブ等を挙げることができる。以下、この実施形態ではｐＨ測定プローブを例に取って説明する。
【００１７】
ｐＨ測定プローブ１０は、ガラス電極と比較電極とを一体に構成したものである。ｐＨ測定プローブ１０の先端部には、ガラス電極及び比較電極の検出部が配置されている。この検出部が測定対象物に接触し、ｐＨ測定プローブ１０がガラス電極と比較電極との電位差を検出して、その電位差を示す検出信号を出力するようにしてある。
【００１８】
本体３０は、概略平板状をなすものであり、ディスプレイ４０と測定装置１００全体の制御を担う制御機構とを一体に構成したタブレット型コンピュータである。
【００１９】
ディスプレイ４０はタッチパネル式ディスプレイであり、表示手段及び入力手段を兼ねたものである。このディスプレイ４０上の画像を表示する表示領域は、タッチ操作による位置入力を受け付ける領域を兼ねたものである。また、タッチパネル式ディスプレイ４０の位置検出方式は、同時に１点のみ位置入力できるシングルタッチ方式のものであり、ここでは静電容量方式である。静電容量方式のディスプレイ４０に対しては、ユーザは指先等を接触させることに加え、近接させることによっても位置入力することができる。従って、この実施形態においてタッチ操作とはユーザが指先又はタッチペンのような位置入力部材をディスプレイ４０に接触又は近接させる操作をいい、マウスでいうクリック操作に相当するものである。タッチ操作の際、ユーザは、指先等を接触又は近接させた後、すぐに指先を離間させてもよいし、所定時間接触又は近接させた状態を保っていてもよい。また、タッチスライド操作とは、ユーザが、タッチ操作の後、指先等をディスプレイ４０に接触又は近接させた状態で移動させる操作をいい、マウスでいうドラッグ操作に相当するものである。
【００２０】
制御機構は、物理的にはＣＰＵ、メモリ及びＡ／Ｄコンバータ等を具備するものである。制御機構はそのメモリに所定のプログラムを格納し、当該プログラムに従ってＣＰＵやその周辺機器を協働動作させることによって、図２に示すように、測定データ算出部３１、測定データ格納部３２、表示制御部３３等としての機能を発揮する。
【００２１】
測定データ算出部３１は、プローブ１０からの検出信号を受け付け、検出信号の値と前記メモリに格納された検量線とに基づいて、測定対象物のｐＨ測定値を示す測定データを算出するものである。
【００２２】
測定データ格納部３２は、前記メモリの所定領域に設定されたものであり、測定データ算出部３１で次々に算出される測定データを逐次格納するものである。
【００２３】
表示制御部３３は、前記プローブ１０から得た測定結果を前記ディスプレイ４０に表示するものである。表示制御部３３は、複数の表示画面Ｗ１、Ｗ２、Ｗ３を切替可能に表示するものであり、ここではグラフ表示画面Ｗ１（図３）と、アナログ表示画面Ｗ２（図４）と、数値表示画面Ｗ３（図５）とを切替可能に表示する。
【００２４】
各表示画面Ｗ１、Ｗ２、Ｗ３について説明する。図３に示すように、グラフ表示画面Ｗ１は、横軸が時間を示す時間軸であり、縦軸がｐＨ測定結果を示す測定軸である座標系に、前記測定結果を時系列グラフとして表示するものである。通常では、時間軸に付される値及び測定軸に付される値は、測定結果に応じて適切なものに自動設定されるように構成してある。ここでは、時間軸の数値範囲が、予め定められた所定幅となり最新の測定時刻を含むように設定されるとともに、測定軸の数値範囲が、測定結果が示すｐＨの最大値と最小値を含むように設定される。なお、測定軸の中間値は小数点以下２桁の数値となるように設定される。例えば、ｐＨの最大値と最小値との平均値が小数点以下３桁の数値である６．２０７と算出された場合、それに最も近い小数点２桁の数値である６．２０が中間値として設定される。
【００２５】
図４に示すように、アナログ表示画面Ｗ２は、所要箇所に値を付した一連の目盛り及び最新のｐＨ測定結果に対応する目盛り上の位置を指し示す指示手段を表示するものである。ここでは前記目盛りは放射状に等間隔に並べてあり、指針がその目盛り上を回転するように構成してある。通常では、目盛りに付された値は、測定結果に応じて適切なものに自動設定されるように構成してある。ここでは、目盛りに、上限値と、下限値と、上限値及び下限値の平均値である中間値とが付されている。そして、ｐＨ測定値に応じて前記中間値が決定されるとともに、各値の間隔が所定値（ここでは０．０３）となるように上限値及び下限値が設定される。例えば、ｐＨ測定値が６．１９３である場合には、それに最も近い小数点以下２桁の数値である６．１９が中間値として設定される。さらに、６．１６及び６．１９が下限値及び上限値として設定される。
【００２６】
図５に示すように、数値表示画面Ｗ３は、最新のｐＨ測定結果を数値として表示するものであり、ここでは小数点以下３桁の数値として表示する。
【００２７】
しかして、この実施形態では、ユーザがディスプレイ４０にタッチスライド操作すると、そのタッチスライド操作に応じて前記測定結果の表示内容を変更するようにしてある。具体的には、表示制御部３３が、タッチスライドに連動して、表示画面Ｗ１、Ｗ２、Ｗ３を切り替えるようにしてある。
【００２８】
まず、図６〜図８を参照して、表示制御部３３が表示画面Ｗ１、Ｗ２、Ｗ３を切り替える場合について説明する。図６Ａは、切替前の表示画面がグラフ表示画面Ｗ１である例を示す。
【００２９】
ここで、グラフ表示画面Ｗ１を始めとする各表示画面Ｗ１、Ｗ２、Ｗ３には複数の領域が設定されている。具体的には、各表示画面Ｗ１、Ｗ２、Ｗ３の中央部に形成され測定結果を表示する第１表示領域Ａ１（以下、測定結果表示領域ともいう）と、各表示画面Ｗ１、Ｗ２、Ｗ３の周辺部に形成され前記第１表示領域とは異なる第２表示領域Ａ２（以下、周辺領域ともいう）とが設定されている。ここでは、測定結果表示領域Ａ１がタッチスライド操作された場合と周辺領域Ａ２がタッチスライド操作された場合とで、表示内容の変更態様が異なるようにしてある。そして、周辺領域Ａ２がタッチスライド操作された場合に、表示制御部３３が表示画面Ｗ１、Ｗ２、Ｗ３を切り替えるようにしてある。なお、ユーザが周辺領域Ａ２をタッチスライド操作するとは、タッチスライド操作の際に最初にタッチ操作した領域が周辺領域Ａ２であることをいう。また、測定結果表示領域Ａ１がタッチスライド操作された場合については後述する。
【００３０】
ユーザが、グラフ表示画面Ｗ１の周辺領域Ａ２を、右方向にタッチスライド操作すると、表示制御部３３はグラフ表示画面Ｗ１を数値表示画面Ｗ３に切り替える。より詳しくは、ユーザがタッチスライド操作すると、表示制御部３３はタッチスライド操作を示す操作信号をディスプレイ４０から受け付ける。表示制御部３３は前記タッチスライド操作に連動して、ディスプレイ４０がタッチスライド操作される前に、表示されていた表示画面（ここではグラフ表示画面Ｗ１）をディスプレイ４０の表示領域外に移動させるとともに、それに合わせて隣接する別の表示画面（ここでは数値表示画面Ｗ３）を表示領域内に移動させる。これにより、各表示画面Ｗ１、Ｗ３が連続的に切り替えられる。
【００３１】
図６Ｂに示すように、切替前の表示画面Ｗ１の端部と切替先の表示画面Ｗ３の端部とは連続して繋がっている。従って、表示制御部３３が切替前の表示画面Ｗ１をスクロールした距離（領域）と、切替先の表示画面Ｗ３をスクロールした距離（領域）とは等しくなる。また、タッチスライド操作のスライド距離と、表示画面Ｗ１、Ｗ３が移動する距離とは等しくなるように設定してある。なお、スライド距離とは、ユーザが指先等をディスプレイ４０に接触又は近接させた位置から、接触又は近接させた状態を保ったまま移動させた後、指先等をディスプレイ４０から離間させた位置までの距離をいう。
【００３２】
タッチスライド操作が完了したとき、タッチスライド操作のスライド距離が所定値以上であれば、表示制御部３３は切替先の表示画面（ここでは数値表示画面Ｗ３）を表示する。スライド距離が所定値未満であれば、表示制御部３３は切替前の表示画面（ここではグラフ表示画面Ｗ１）を表示する。具体的には、タッチスライド操作が完了したとき、切替先の表示画面Ｗ３が半分以上表示されていれば、切替先の画面Ｗ３が表示され、そうでなければ切替前の表示画面Ｗ１が表示されるように設定してある。
【００３３】
図６Ｂに示すように、ディスプレイ４０の表示領域における、切替先の表示画面（数値表示画面Ｗ３）の領域と、切替前との表示画面（グラフ表示画面Ｗ１）の領域とを比較すると、切替前の表示画面Ｗ１の領域の方が大きくなっている。この状態で、ユーザがタッチスライド操作を終了すると、表示制御部３３は、各表示画面Ｗ１、Ｗ３を、ディスプレイ４０がタッチスライド操作された方向とは逆方向に移動してグラフ表示画面Ｗ１に戻す。つまり、表示制御部３３は、グラフ表示画面Ｗ１を移動させて、グラフ表示画面Ｗ１の両端部と、ディスプレイ４０の表示領域の両端部とを一致させる。これに対し、数値表示画面Ｗ３の領域の方が大きい場合には、表示制御部３３はグラフ表示画面Ｗ１を数値表示画面Ｗ３に切り替える。
【００３４】
なお、ユーザが周辺領域Ａ２にタッチ操作した時点で、表示制御部３３はタッチスライド操作可能な方向を示すガイド５０を表示する。ここでは、表示制御部３３が左右それぞれの方向を示す矢印を表示する（図６Ａ）。続いて、図６Ｂに示すように、ユーザが右方向にタッチスライド操作し始めると、表示制御部３３は右方向を示すガイド５０のみを表示するとともに、他のガイド５０を消去して、受け付けた入力操作をユーザに知らせる。
【００３５】
同様に、ユーザがグラフ表示画面Ｗ１の周辺領域Ａ２を、左方向にタッチスライド操作すると、表示制御部３３はグラフ表示画面Ｗ１をアナログ表示画面Ｗ２に切り替える（図７Ａ→図７Ｂ）。
【００３６】
なお、切替前の表示画面がアナログ表示画面Ｗ２や数値表示画面Ｗ３であってもよい。例えば、図８に示すように、ユーザがアナログ表示画面Ｗ２の周辺領域Ａ２を左方向にタッチスライド操作すると、表示制御部３３はアナログ表示画面Ｗ２を数値表示画面Ｗ３に切り替える。また、グラフ表示画面Ｗ１及びアナログ表示画面Ｗ２においては、周辺領域Ａ２がタッチスライド操作された場合に、表示画面Ｗ１、Ｗ２が切り替えられる。これに対し、数値表示画面Ｗ３においては、周辺領域Ａ２に加えて測定結果表示領域Ａ１がタッチスライド操作された場合であっても、表示画面Ｗ３が切り替えられるようにしてある。
【００３７】
また、本実施形態の表示制御部３３は、タッチスライド操作に応じて、座標軸の数値範囲や目盛りによって示される数値範囲を変更する。図９及び図１０を参照して、表示制御部３３がグラフ表示画面Ｗ１の座標軸の数値範囲を変更する場合について説明する。ここでは、タッチスライド操作が第１方向（ここでは時間軸）に沿ったものである場合と、第１方向とは異なる第２方向（ここでは測定軸）に沿ったものである場合とで、表示内容の変更態様が異なるようにしてある。まず、ユーザが時間軸に沿ってタッチスライド操作する場合について説明する。図９Ａは、タッチスライド操作がされる前にグラフ表示画面Ｗ１の時間軸の数値範囲が１２秒から１０２秒の範囲である例を示す。
【００３８】
ユーザが、グラフ表示画面Ｗ１の測定結果表示領域Ａ１を、時間軸に沿って左方向にタッチスライド操作すると、表示制御部３３は、時間軸の数値範囲を移動する。より詳しくは、ユーザがタッチスライド操作し始めると、表示制御部３３がタッチスライド操作を示す操作信号をディスプレイ４０から受け付ける。すると、時間軸の数値範囲に対する自動設定が解除されて手動設定に切り替わる。
【００３９】
表示制御部３３は、前記タッチスライド操作に連動して、時間軸の数値範囲の上限値と下限値との差を保ったまま、上限値及び下限値を減少させて、時間軸の数値範囲を移動する。図９Ｂは、時系列グラフの時間軸の数値範囲が０秒から９０秒までに移動した例を示す。また、表示制御部３３は、前記タッチスライド操作に連動して、移動された数値範囲に対応する時系列グラフを、ディスプレイ４０の表示領域内に移動させる。その結果、時系列グラフの表示範囲が連続的に移動して、変更後の時間軸の数値範囲における過去の時系列グラフが表示される。
【００４０】
ユーザがタッチスライド操作し終わった後、タッチ操作するまでは、時間軸の数値範囲は手動設定された後の状態を保っている。ユーザが、タッチ操作した後、指先を接触又は近接させた位置から実質的に移動させることなく、指先を離間させると、時間軸の数値範囲は自動設定状態に戻り、最新の時系列グラフを表示する。一方、ユーザが、タッチ操作した後、指先を接触又は近接させた状態で移動させると、表示制御部は時間軸の数値範囲をさらに変更する。
【００４１】
ユーザが現在表示している時間軸の数値範囲よりも後の数値範囲に対応する時系列グラフを表示させたい場合には、ユーザが時間軸に沿って右方向にタッチスライド操作する。図９Ｃは、時間軸の数値範囲が３０秒から１２０秒までの範囲に移動した例を示す。
【００４２】
図１０を参照して、ユーザが測定軸に沿ってタッチスライド操作して、表示制御部３３がグラフ表示画面Ｗ１の測定軸の数値範囲を拡大又は縮小する場合について説明する。図１０Ａは、タッチスライド操作がされる前に、グラフ表示画面Ｗ１の測定軸の数値範囲は６．１８から６．２２までの範囲である例を示す。
【００４３】
図１０Ｂに示すように、ユーザが、グラフ表示画面Ｗ１の測定結果表示領域Ａ１を、時間軸に沿って上方向にタッチスライド操作すると、表示制御部３３は測定軸の数値範囲を縮小する。より詳しくは、表示制御部３３は、測定軸の数値範囲の上限値と下限値との平均値である中間値（ここでは６．２０）を維持したまま、中間値と下限値との差、及び中間値と上限値との差を同じ値だけ減少させる。図１１Ｂは、変更後の測定軸の数値範囲が、６．１９から６．２１までの範囲となる例を示す。表示制御部３３は、変更後の測定軸の数値範囲に対応する時系列グラフを表示する。
【００４４】
同様に、ユーザが時間軸に沿って下方向にタッチスライド操作すると、表示制御部３３は、測定軸の数値範囲を拡大する。図１１Ｃは、変更後の測定軸の数値範囲は、６．１６から６．２４までの範囲となる例を示す。
【００４５】
なお、ユーザがディスプレイ４０にタッチ操作した時点で、図９Ａ等に示すように、表示制御部３３が、タッチスライド操作可能な方向を示すガイド５０を表示する。ここでは、表示制御部３３が上下左右それぞれの方向を示す矢印を表示する。続いて、ユーザが時間軸に沿って左方向にタッチスライド操作し始めると、図９Ｂ等に示すように、表示制御部３３は左方向を示すガイド５０のみを表示するとともに、他のガイド５０を消去して、受け付けた入力操作をユーザに知らせる。
【００４６】
図１１、図１２を参照して、表示制御部３３がアナログ表示画面Ｗ２の目盛りによって示される数値範囲を変更する場合について説明する。まず、図１１を参照して、表示制御部３３が目盛りの数値範囲を移動する場合について説明する。図１１Ａは、タッチスライド操作がされる前に、アナログ表示画面Ｗ２の目盛りによって示される数値範囲が６．１６から６．２２までの範囲である例を示す。
【００４７】
ユーザが、アナログ表示画面Ｗ２の測定結果表示領域Ａ１を、目盛りの配列方向に沿った方向かつ、上限値から下限値に向かう方向（ここでは左方向）にタッチスライド操作する。すると、表示制御部３３は目盛りによって示される数値範囲の上限値と下限値とを同じ値だけ減少させる。これにより、上限値と下限値との差を保ったまま、数値範囲が移動する。図１１Ｂは、目盛りの数値範囲が６．１４から６．２０までの範囲に変更される例を示す。
【００４８】
また、ユーザが目盛りの数値範囲を逆方向に移動させたい場合には、ユーザが目盛りの配列方向に沿った方向かつ、下限値から上限値に向かう方向（ここでは右方向）にタッチスライド操作すればよい。図１１Ｃは、目盛りの数値範囲が６．１８から６．２４までの範囲となる例を示す。
【００４９】
図１２を参照して、表示制御部３３が目盛りの数値範囲を縮小又は拡大する場合について説明する。図１２Ａは、タッチスライド操作がされる前に、アナログ表示画面Ｗ２の目盛りによって示される数値範囲が６．１６から６．２２までの範囲である例を示す。
【００５０】
ユーザが、アナログ表示画面Ｗ２の測定結果表示領域Ａ１を、目盛りの配列方向に略直交する方向の１つである上方向にタッチスライド操作すると、表示制御部３３は、測定軸の数値範囲を縮小する（図１２Ｂ）。より詳しくは、表示制御部３３は目盛りによって示される数値範囲の中間値（６．１９）を維持したまま、中間値と下限値との差、及び中間値と上限値との差を同じ値だけ減少させる。その結果、図１２Ｂは、変更後の目盛りの数値範囲が、６．１８から６．２０までの範囲となる例を示す。
【００５１】
同様に、ユーザが下方向にタッチスライド操作すると、表示制御部３３は、目盛りの数値範囲を拡大する。図１２Ｃは、変更後の目盛りの数値範囲が６．０９から６．２９までの範囲となる例を示す。
【００５２】
なお、アナログ表示画面Ｗ２においてもガイド５０が表示されるが、グラフ表示画面Ｗ１の場合と同様であるので、同じ符号を付して説明を省略する。
【００５３】
本実施形態の測定装置１００によれば、タッチパネル式ディスプレイ４０に対するタッチスライド操作に連動して表示制御部３３が表示画面を切り替えるので、ユーザはタッチスライド操作するだけで、表示画面を切り替えることができる。従ってユーザは様々な操作ボタンから適当なものを選び出すといった煩雑な操作をする必要がなく、ユーザが直感的で分かりやすい操作で表示画面を切り替えることができる。また、タッチスライド操作に連動して、表示制御部３３が切替元の表示画面をスクロールして消去し始めるとともに、切替先の表示画面をスクロールして表示し始めることにより、各表示画面を連続的に切り替えるので、切替操作の途中でユーザが切替先の表示画面を確認することができる。従って、切替操作完了前にユーザが操作が正しいかどうかを確認することができ、安心して切替操作できる。
【００５４】
さらに、ユーザがディスプレイ４０をタッチ操作した時点で、表示制御部３３がタッチスライド操作可能な方向を示すガイド５０を表示するので、ユーザが測定装置１００のマニュアル等を確認せずとも、ユーザはタッチスライド操作するべき方向を直感的に理解することができる。さらに、ユーザがタッチスライド操作し始めると、表示制御部３３が受け付けたタッチスライド操作に対応するガイド５０のみを表示するので、ユーザは測定装置１００が受け付けた操作を確認することができ、安心して操作できる。
【００５５】
なお、本発明は前記実施形態に限られるものではない。例えば、表示画面はこれらに限られるものではなく、各表示画面に加えて測定装置に関する各種設定を行うメニュー画面や操作説明を表示する説明画面を切替可能に表示するようにしてもよい。
【００５６】
また、タッチスライド操作可能な方向は、上下方向や左右方向としたが、その他の方向としてもよい。例えば、斜め方向に設定してもよい。
【００５７】
さらに、ディスプレイがタッチスライド操作されると、表示制御部が時間軸の数値範囲を拡大又は縮小するようにしてもよいし、測定軸の数値範囲の上限値と下限値との差を保ったまま移動するようにしてもよい。
【００５８】
タッチスライド操作のスライド距離と、表示画面が移動する距離とは等しくなるようにしたが、例えば比例するようにしてもよい。また、タッチスライド操作のスライド距離と表示画面が移動する距離との関係を示す関係式を予め算出しておき、その関係式に従って移動距離が算出されるようにしてもよい。具体的には、タッチスライド操作のスライド距離が増えるにつれ、移動距離が指数関数的に増加するようにしたものを挙げることができる。タッチスライド操作のスライド距離と、数値範囲の変更量との関係についても同様である。
【００５９】
加えて言えば、本実施形態では、グラフ表示画面及びアナログ表示画面において、測定結果表示領域と周辺領域とを区別するようにしたが、区別しないようにしてもよい。具体的には、いずれの領域がタッチスライド操作された場合であっても、タッチスライド操作が左右方向に沿ったものであれば、表示制御部が表示画面を切り替えるようにする。さらに、タッチスライド操作が上下方向に沿ったものであれば、表示制御部が座標軸の数値範囲や目盛りによって示される数値範囲を変更するようにしたものであってもよい。
【００６０】
さらに、図１３に示すように、数値表示画面が表示されている場合において、ユーザがタッチスライド操作によって測定時間を選択すると、選択された測定時間に対応する測定結果を表示制御部が表示するようにしてもよい。具体的には、数値表示画面に、測定時間のような変数が表示される変数表示領域Ａ３が形成されている。ユーザがその変数表示領域Ａ３を上下方向にタッチスライド操作して、測定時間を変更するようにすればよい。同様に、グラフ表示画面やアナログ表示画面においても、変数に対応する測定結果を表示制御部が表示するようにしてもよい。
【００６１】
表示領域に着目すると、本実施形態では、グラフ表示画面において、座標軸に囲まれた領域と、座標軸に付された値が表示される領域とを合わせた領域が測定結果表示領域として設定されているが、座標軸に囲まれた領域のみが測定結果表示領域として設定されてもよい。アナログ表示画面についても同様である。
【００６２】
ガイドに着目すると、本実施形態では、ユーザが測定結果表示領域をタッチ操作すると、測定結果表示領域のガイドのみを表示するようにした。ガイドの表示様態としてはこれに限られるものではない。例えば、ユーザが測定結果表示領域をタッチ操作すると、表示制御部が、測定結果表示領域のガイド及び周辺領域のガイドを表示する。さらに、表示制御部が、測定結果表示領域のガイドを濃く表示し、周辺領域のガイドを薄く表示するなどして、表示領域ごとにガイドの表示様態を異ならせるようにしてもよい。これにより、ユーザがタッチスライド操作により変更できる表示内容を一挙に把握することができる。
【００６３】
また、ユーザがタッチスライド操作し始めると、表示制御部が受け付けた操作方向に対応するガイドのみを表示し、その他のガイドを消去するようにした。しかしながら、ユーザがタッチスライド操作している場合であっても、表示制御部が、タッチスライド操作可能な方向を示すガイド全てを表示し続けるようにしてもよい。
【００６４】
さらに、数値範囲が変更されるなどして、数値範囲の上限値又は下限値が設定可能な範囲の境界値に達した場合、表示制御部が対応するガイドを消去するようにしてもよい。設定可能な数値範囲とは、例えばｐＨであれば０から１４までの数値範囲である。時間であれば、０秒から最終測定時刻（又は最終測定時刻から所定時間経過後の時刻）までの数値範囲である。
【００６５】
具体的に説明する。図１４は、ユーザが時間軸に沿ってタッチスライド操作した場合の例を示す。ユーザは時間軸に沿って左方向にタッチスライド操作して、過去の時系列グラフを表示させる（図１４Ａ→図１４Ｂ）。時間軸の数値範囲の下限値が０秒に達すると、それ以上過去の測定データは存在しない（図１４Ｃ）。従って、表示制御部は左方向を示すガイドを消去して、時間軸の数値範囲をこれ以上左方向に移動させることができないことを、ユーザに知らせる。時間軸の数値範囲を拡縮したり、測定軸の数値範囲や目盛りの数値範囲を変更したりする場合についても、同様である。このようなものであれば、ユーザは、タッチスライド操作を入力しても、表示内容を変更することができない方向を直感的に理解することができる。
【００６６】
さらに、表示制御部はガイドとして矢印を表示するようにしたが、変更できる表示内容を表す文章を表示したり、切替先表示画面のサムネイルのような縮小画像を表示したりするようにしてもよい。
【００６７】
本実施形態では、測定軸の数値範囲を拡大又は縮小する場合に、変更前における測定軸の中間値が、変更後における測定軸の中間値として設定されるようにした。しかしながら、これに限られるものではない。例えば、ユーザがタッチスライド操作の際に、始めにタッチ操作した位置が示す測定値が、変更後の測定軸の中間値として設定されるようにしてもよい。具体的には、ユーザが６．２０７を示す位置を始めにタッチ操作して、測定軸に沿ってタッチスライド操作すると、６．２０７が変更後の測定軸の中間値として設定される。
【００６８】
また、ユーザがタッチスライド操作の際に、始めにタッチ操作した位置が示す時刻における測定値が、変更後の測定軸の中間値として設定されるようにしてもよい。具体的には、ユーザが６０秒を示す位置を始めにタッチ操作して、測定軸に沿ってタッチスライド操作すると、６０秒時点での測定値が変更後の測定軸の中間値として設定される。時間軸の数値範囲や目盛りの数値範囲を変更する場合についても、同様である。このようなものであれば、時系列グラフの拡大表示又は縮小表示の際に、ユーザは直感的で分かりやすい操作で、中間値を指定することができる。
【００６９】
例えば、ｐＨ測定結果が小数点以下３桁の数値で算出される場合に、目盛りの数値範囲の中間値が小数点以下２桁の数値に調整されるようにして、ｐＨ測定値と比較して有効数字の桁数を減じた数値として設定されるようにしてもよい。アナログ表示画面が表示されている場合を例に取って説明する。目盛りの数値範囲が移動されて、目盛りの数値範囲の下限値と上限値の平均値が６．１７２となると、それに最も近い小数点２桁の数値である６．１７が中間値として設定される。グラフ表示画面の測定軸又は時間軸の数値範囲を変更する場合についても、同様である。
【００７０】
さらに、表示制御部がグラフ表示画面を表示している場合において、ユーザが時間軸又は測定軸に沿ってタッチスライド操作すると、表示制御部が、タッチスライド操作された座標軸の数値範囲に対する自動設定だけを解除して、他方の座標軸の数値範囲に対する自動設定を維持するようにした。しかしながら、これに限られるものではなく、ユーザが時間軸又は測定軸に沿ってタッチスライド操作すると、時間軸及び測定軸の数値範囲の両方に対する自動設定を解除するようにしてもよい。
【００７１】
また、ユーザが時間軸に沿って左方向ではなく、右方向にタッチスライド操作した場合に、表示制御部が過去の時系列グラフを表示するなど、実施形態とは左右方向や上下方向を入れ替えてユーザがタッチスライド操作するようにしてもよい。さらに、ディスプレイは同時に１点のみ位置入力できるシングルタッチ方式のものとしたが、同時に複数点の位置入力できるマルチタッチ方式のものであってもよい。その他、本発明は上記の各実施形態に限られず、本発明の趣旨を逸脱しない範囲で、前述した種々の構成の一部又は全部を適宜組み合わせて構成してもよい。
【符号の説明】
【００７２】
１００・・・測定装置
１０・・・プローブ
３３・・・表示制御部
４０・・・ディスプレイ
５０・・・・ガイド
Ｗ１・・・グラフ表示画面
Ｗ２・・・アナログ表示画面
Ｗ３・・・数値表示画面
Ａ１・・・測定結果表示領域
Ａ２・・・周辺領域
Ａ３・・・変数表示領域
【図１】
0005775710.tif 000002
【図２】
0005775710.tif 000003
【図３】
0005775710.tif 000004
【図４】
0005775710.tif 000005
【図５】
0005775710.tif 000006
【図６】
0005775710.tif 000007
【図７】
0005775710.tif 000008
【図８】
0005775710.tif 000009
【図９】
0005775710.tif 000010
【図１０】
0005775710.tif 000011
【図１１】
0005775710.tif 000012
【図１２】
0005775710.tif 000013
【図１３】
0005775710.tif 000014
【図１４】
0005775710.tif 000015